(57)【要約】【課題】  折りたたみ可能で携帯に便利であるとともに、長い物品を安定して持ち運ぶことが可能なバッグを提供すること。【解決手段】  その長尺側の長さを幅の奇数倍の長さに切断された織物地の切断端部１２の一端を、その２辺の長さが各々織物地の幅Ｄの２分の１の二等辺三角形ができる位置で折り返し、さらに織物地をらせん状に折り返して当接する長尺側の端部１１同士を縫い合わせることにより筒形状を形成するとともに、筒形状の筒幅に渡って織物地が重なる部分に縫い合わせ部１３を設け、袋形状を形成したこと特徴とするバッグ。【選択図】        図１
0003142937.tif 000002
【実用新案登録請求の範囲】
【請求項１】
その長尺側の長さを幅の整数倍の長さに切断された織物地の切断端部の一端を、その２辺の長さが各々織物地の幅の２分の１の二等辺三角形ができる位置で折り返し、さらに織物地をらせん状に折り返して当接する長尺側の端部同士を縫い合わせることにより筒形状を形成したことを特徴とするバッグ。
【請求項２】
請求項１に記載のバッグにおいて、
前記長尺側の長さは、前記幅の奇数倍であるバッグ。
【請求項３】
請求項１に記載のバッグにおいて
前記筒形状の筒幅に渡って織物地が重なる部分に縫い合わせ部を設け、袋形状を形成したバッグ。
【請求項４】
その長尺側の長さを幅の奇数倍の長さに切断された織物地の切断端部の一端を、その２辺の長さが各々織物地の幅の２分の１の二等辺三角形ができる位置で折り返し、さらに織物地をらせん状に折り返して当接する長尺側の端部同士を縫い合わせることにより筒形状を形成するとともに、
前記筒形状の筒幅に渡って織物地が重なる部分に縫い合わせ部を設け、袋形状を形成したこと特徴とするバッグ。
【請求項５】
請求項３または請求項４に記載のバッグにおいて、
前記縫い合わせ部は、前記筒形状を、両端にその対角線の長さが筒幅と同じ長さとなる略正方形であって、織物地が重ならない部分ができるように平置きしたときに、筒幅に渡って織物地が重なる部分であって、一端の略正方形の近傍に設けたバッグ。
【請求項６】
請求項２、請求項４および請求項５のいずれかに記載のバッグにおいて、
前記長尺側の長さは、前記幅の３倍または５倍の長さであるバッグ。
【考案の詳細な説明】
【技術分野】
【０００１】
この考案は、手ぬぐい等の長尺な織物地によって作成されるバックに関する。
【背景技術】
【０００２】
折りたたみ可能で携帯に便利なバッグとして、ふろしきを２枚重ね合わせ、物品の出し入れ口となる一隅を残して縫い合わせるこにより袋物としても使用可能なふろしきが知られている（特許文献１）。
【０００３】
また、長尺な織物地を使用したものとして、バイアス効果を得る目的で、織物地をらせん状に縫い合わせた袋帯が知られている（特許文献２）。
【特許文献１】実公平２−３７７２１号公報
【特許文献２】実公平３−３９４５２号公報
【考案の開示】
【考案が解決しようとする課題】
【０００４】
しかしながら、特許文献１に記載されているような、袋物兼ふろしきでは、フランスパン、大根、牛蒡、ビンなどの長さが長い物品を入れると、ふろしきの端を結んで持ち手部分を形成することが困難であったり、持ち手部分は形成できたが中に入れた物品とのバランスが悪くなり、物品が袋からこぼれる落ちたりして持ちにくいなどの問題があった。
【０００５】
そこで、本願考案は、上記課題を解決するためになされたものであり、折りたたみ可能で携帯に便利であるとともに、長い物品を安定して持ち運ぶことが可能な、手ぬぐい等の長尺な織物地によって作成されるバッグを提供することを目的とする。
【課題を解決するための手段】
【０００６】
請求項１に記載の考案は、その長尺側の長さを幅の整数倍の長さに切断された織物地の切断端部の一端を、その２辺の長さが各々織物地の幅の２分の１の二等辺三角形ができる位置で折り返し、さらに織物地をらせん状に折り返して当接する長尺側の端部同士を縫い合わせることにより筒形状を形成したことを特徴とする。
【０００７】
請求項２に記載の考案は、請求項１に記載の考案において、前記長尺側の長さは、前記幅の奇数倍である。
【０００８】
請求項３に記載の考案は、請求項１に記載の考案において、前記筒形状の筒幅に渡って織物地が重なる部分に縫い合わせ部を設け、袋形状を形成した。
【０００９】
請求項４に記載の考案は、その長尺側の長さを幅の奇数倍の長さに切断された織物地の切断端部の一端を、その２辺の長さが各々織物地の幅の２分の１の二等辺三角形ができる位置で折り返し、さらに織物地をらせん状に折り返して当接する長尺側の端部同士を縫い合わせることにより筒形状を形成するとともに、前記筒形状の筒幅に渡って織物地が重なる部分に縫い合わせ部を設け、袋形状を形成したこと特徴とする。
【００１０】
請求項５に記載の考案は、請求項３または請求項４に記載の考案において、前記縫い合わせ部は、前記筒形状を、両端にその対角線の長さが筒幅と同じ長さとなる略正方形であって、織物地が重ならない部分ができるように平置きしたときに、筒幅に渡って織物地が重なる部分であって、一端の略正方形の近傍に設けた。
【００１１】
請求項６に記載の考案は、請求項２、請求項４および請求項５のいずれかに記載の考案において、前記長尺側の長さは、前記幅の３倍または５倍の長さである。
【考案の効果】
【００１２】
請求項１乃至請求項６に記載の考案によれば、折りたたみ可能で携帯に便利であるとともに、長い物品を安定して持ち運ぶことが可能となる。
【００１３】
請求項５に記載の考案によれば、より長い物品を脱落させることなく持ち運ぶことができる。
【００１４】
請求項６に記載の考案によれば、必要に応じて、手提げ用、肩掛け用に使用できる。
【考案を実施するための最良の形態】
【００１５】
以下、本願考案の実施形態に係るバッグを図面に基づいて説明する。図１は、本願考案の第１実施形態に係るバック１の展開図である。なお、図１中の一点鎖線は織物地の折り線を表し、破線は縫い線を示す。
【００１６】
このバッグ１は、図１に示すように、その長尺側の長さが、織物地の幅Ｄの奇数倍である３倍の長さ（３Ｄ）に切断された矩形状の布地により形成される。
【００１７】
まず、織物地の短辺となる切断端部１２の一端を、図１の黒丸で示す角から、２辺の長さが各々織物地の幅の２分の１の二等辺三角形ができる位置にある一点鎖線で折り返し、さらに、次の平行な一点鎖線で折り返していくことにより、織物地がらせん状に折りたたまれる。織物地がらせん状に折り返されると、図１の矩形の長辺側の端部１１に付した白抜き四角、白抜き三角、白抜き丸の各記号が付された辺同士が当接し、この当接した部分同士が縫い合わせられる。
【００１８】
図２は、上述した手順により作成したバッグ１の説明図である。図２（ａ）は、図１の展開図に示す織物地を縫い合わせて筒形状を形成し、その筒形状を、両端に対角線の長さが筒幅と同じ長さである略正方形であって織物地が重ならない部分ができるように平置きした状態を示す図である。図２（ｂ）は図２（ａ）の裏面を示す図である。なお、図２中の鎖線は、図１と同様に縫い線を表す。また、図２中の長鎖線は裏側に隠れた織物地の縫い合わせ部分を示す。
【００１９】
図２（ａ）に示すように、縫い合わせた織物地を平置きすると、織物地が重ならない部分であって、対角線の長さが筒幅と同じ長さである略正方形が両端にできる形となる。なお、図２（ａ）における黒丸、黒四角記号の位置は、図１中の記号と対応する。このとき、バッグ１における筒幅は１／√２Ｄとなり、長尺方向の長さは４／√２Ｄとなる。
【００２０】
図２において、向かって左手側（紙面下側）となる、筒幅に渡って織物地が重なる部分であって、一端の略正方形の近傍を筒幅に渡って縫い合わせる縫い合わせ部１３を設けることにより、袋形状が形成される。したがって、縫い合わせ部１３が近傍に配置された正方形とは逆側が、物品の出し入れを行う出し入れ口１４となる。
【００２１】
なお、このバッグ１では、織物地の長尺側の長さが幅の奇数倍となるように織物地を裁断し、織物地の長尺側の縫い合わせにおけるらせんの回転回数を整数倍とすることにより、図２（ａ）に示すように、筒形状の両端の正方形が同じ面に現れるようにしている。
【００２２】
そして、この正方形の部分を利用して、筒形状の両端を互いに結びあわせることにより輪を形成し、バッグ１を手に提げたり、肩に掛けたりすることが可能となる。このとき、この正方形部分において織物地が重なっておらず、バッグ１の短辺側先端であってこの正方形の先端角の略三角形部分の厚みが厚くなりすぎないので、結び目が作りやすくなる。また、バッグ１の筒形状の長尺方向に対し、織物地の織目方向が斜めとなっていることから、バイアス効果による伸縮性により、結び目は解けにくいものとなる。
【００２３】
図３は、本願考案の第２実施形態に係るバック２の展開図である。
【００２４】
このバッグ２は、図３に示すように、織物地の長尺側の長さが、幅Ｄの奇数倍である５倍（５Ｄ）となっている。図１と同様に、一点鎖線は折り線、鎖線は縫い線を示す。織物地が切断端部２２の一端から折り線に沿ってらせん状に折り返されたときに、織物地の長尺側の端部２１における各辺に付している同一記号同士が互いに当接し、縫い合わせられる。このように、織物地の長尺側の長さが、幅Ｄの奇数倍となっているため、図示は省略するが、図２に示すバッグ１と同様に、筒形状の両端の同じ面に略正方形の織物地が重ならない部分が現れることになる。そして、バッグ１と同様に縫い合わせ部２３を設けることにより、バッグ２においても袋形状を形成させる。また、図１と同幅の織物地を使用すると、織物地の長尺側の端部２１縫い合わせによるらせんの回転がバッグ１の２倍の２回転となり、よりバッグの長尺側の長さが長く、より長い物品を入れることが可能なバッグ２を形成させることができる。
【００２５】
図４乃至図６は、本願考案の実施形態に係るバッグの使用の状態を示す説明図である。なお、図５および図６における破線は、バッグの中に入れたフランスパン４０の輪郭を示すものである。
【００２６】
図４は、この考案に係るバッグ１またはバッグ２の出し入れ口１４から、長い物品であるフランスパン４０をバッグ１またはバッグ２に入れた状態を示している。
【００２７】
図５は、フランスパン４０を入れたこの考案に係るバッグ１を、使用者が腕にかけている状態を示している。先に図２を用いて説明したように、バッグ１における筒形状の両端同士を結びあわせることにより、腕を挿入することが可能な輪部１６を形成させている。このときに形成された結び目１５は、図５に示すように腕に掛けるなどしてバッグ１を使用する場合には、バッグ１における使用時の加重方向と同一方向であるバッグ１の長尺方向に対して、織物地の織目が斜めとなっているため、バイアス効果による適度な伸縮性によって、結び目１５が解けにくいものとなる。
【００２８】
図６は、使用者が、この考案に係るバッグ２をフランスパン４０を入れた状態で、肩からたすき掛けにして背負っている状態を示している。このように長いバッグであれば、より沢山の荷物を運びたいときに、バッグを肩からたすき掛けにして背負うことにより両手を開けることができる点で便利である。
【００２９】
また、バッグ１およびバッグ２における縫い合わせ部１３，２３をそれぞれのバッグにおける筒形状の中央部付近に設けて出し入れ口１４をバッグ１およびバッグ２の短辺側両端に形成させ、比較的小さなものをバッグの短辺側両端の両側から入れるようにしてもよい。
【００３０】
なお、バッグ１およびバッグ２においては、各々のバッグを形成する織物地の長尺側の長さが幅Ｄの奇数倍としているが、偶数倍であってもよい。ただし、奇数倍であると、図２に示すようにバッグを平置きしたときに、物品の出し入れ口１４が同じ向きに形成されることがら、物品をバッグ内に入れ易く、バッグの両端を結び合わせ易くなる。
【００３１】
図７は、本願考案の第３実施形態に係るバッグ３の展開図である。図８は、この考案の第３実施形態に係るバッグ３の使用の状態を説明する説明図である。なお、バッグ１およびバッグ２と共通する構成については同一の符号を付し、詳細な説明は省略する。
【００３２】
このバッグ３は、図７に示すように、上述したバッグ１およびバッグ２と異なり、袋形状を形成させるための縫い合わせ部を設けていない。このため、図８（ａ）に示すように、バッグ３の形状は筒形状のままとなる。なお、図８における鎖線は、バッグ３内に入れられたビン５０の輪郭を表す。
【００３３】
図８（ａ）に示すように、このバッグ３は筒形状の短辺側の両端の出し入れ口１４から各々、ビン５０などの物品を筒形状の内部に入れ、図８（ｂ）に示すように、その中央部分を捻るなどしてバッグ３における底部３３を形成し、さらに筒形状の短辺側の両端の略正方形の織物地が重ならない部分同士を、先述したバッグ１およびバッグ２と同様に結び合わせることにより、使用者は手提げ、もしくは肩掛けバッグとして使用する。
【００３４】
なお、バッグ３における底部３３は、ビン５０を出し入れ口１４から筒形状部分に入れる前に、筒形状の中央部にあらかじめ結び目を形成させることにより設けてもよい。また、先述したバッグ１およびバッグ２においては、筒状に縫い合わせた織物地を平置きすると、その短辺側の両端に織物地が重ならない部分であって、対角線の長さが筒幅と同じ長さである略正方形ができる（図２参照）ように、織物地の長尺方向の長さを幅Ｄの奇数倍としていたが、このバッグ３においては、織物地の長尺方向の長さを幅Ｄの偶数倍としてもよい。この場合には、織物地を縫い合わせたバッグ３を平置きしたときに、その両端にできる略正方形の織物地が重ならない部分が表裏逆向きに形成されることになるが、その筒形状の中央部で捻ったり結び目を形成させることにより、出し入れ口１４の向きは自由に変更できる。
【００３５】
そして、この考案に係るバッグ１乃至バッグ３は、浴衣や手ぬぐい用の綿織物の反物を切断して形成すると、織物地の長尺側の裾まつりが不要で縫製が容易であり、また、バッグを折りたたんで携帯する場合にも厚みを薄くすることができ便利である。
【図面の簡単な説明】
【００３６】
【図１】本願考案の第１実施形態に係るバッグ１の展開図である。
【図２】本願考案の第１実施形態に係るバッグ１の説明図である。
【図３】本願考案の第２実施形態に係るバック２の展開図である。
【図４】本願考案の実施形態に係るバッグの使用の状態を示す説明図である。
【図５】本願考案の第１実施形態に係るバッグ１の使用の状態を示す説明図である。
【図６】本願考案の第２実施形態に係るバッグ２の使用の状態を示す説明図である。
【図７】本願考案の第３実施形態に係るバッグ３の展開図である。
【図８】本願考案の第３実施形態に係るバッグ３の使用の状態を示す説明図である。
【符号の説明】
【００３７】
１      バッグ
２      バッグ
３      バッグ
１１    長尺側の端部
１２    切断端部
１３    縫い合わせ部
１４    出し入れ口
１５    結び目
１６    輪部
２１    長尺側の端部
２２    切断端部
２３    縫い合わせ部
３３    底部
４０    フランスパン
５０    ビン
Ｄ      幅
【図１】
0003142937.tif 000003
【図２】
0003142937.tif 000004
【図３】
0003142937.tif 000005
【図４】
0003142937.tif 000006
【図５】
0003142937.tif 000007
【図６】
0003142937.tif 000008
【図７】
0003142937.tif 000009
【図８】
0003142937.tif 000010